(57)【要約】【課題】反射偏光板の配置面積を小さくする一方、反射率の急激な変化を緩和して、表示ムラの視認を少なくした両面表示用の液晶装置、及び電子機器を提供する。【解決手段】照明装置を介して、少なくとも一部が平面的に重なるように配置された第１及び第２の液晶パネルを含む両面表示用の液晶装置において、第２の液晶パネルと照明装置との間に反射偏光板を備え、照明装置の第２の液晶パネル側における、反射偏光板の非存在領域であって、少なくとも反射偏光板と隣接する領域に、当該領域における光の反射率を、反射偏光板の存在領域における光の反射率に近づけるための、反射偏光板とは異なる反射率調整部材を備える。【選択図】図１
2007025630.tif 000002
【特許請求の範囲】
【請求項１】
液晶材料を保持する第１の液晶パネルと、
液晶材料を保持するとともに、少なくとも一部が前記第１の液晶パネルと平面的に重なるように配置された第２の液晶パネルと、
前記第１の液晶パネル及び第２の液晶パネルの間に配置された照明装置と、
を含む両面表示用の液晶装置において、
前記第２の液晶パネルと前記照明装置との間に、前記照明装置から射出された光のうち所定の偏光方向を有する光のみを前記第２の液晶パネル側へ入射させるとともに、他の偏光方向を有する光を前記第１の液晶パネル側へ反射させるための反射偏光板を備え、
前記照明装置の前記第２の液晶パネル側における、前記反射偏光板の非存在領域であって、少なくとも前記反射偏光板と隣接する領域に、当該領域における光の反射率を、前記反射偏光板の存在領域における光の反射率に近づけるための、前記反射偏光板とは異なる反射率調整部材を備えることを特徴とする液晶装置。
【請求項２】
前記第１の液晶パネルは、前記反射偏光板の存在領域と非存在領域とにまたがって平面的に重なるように配置されていることを特徴とする請求項１に記載の液晶装置。
【請求項３】
前記反射率調整部材を反射偏光板の非存在領域全体に配置することを特徴とする請求項１又は２に記載の液晶装置。
【請求項４】
前記反射率調整部材を反射偏光板の非存在領域全体に配置する場合に、当該領域における光の反射率を、前記反射偏光板の存在領域における光の反射率と一致させることを特徴とする請求項３に記載の液晶装置。
【請求項５】
前記反射率調整部材を前記反射偏光板と隣接する領域にのみ配置する場合には、当該反射率調整部材を配置した領域における光の反射率を、前記反射偏光板の存在領域における光の反射率と、前記非存在領域における前記反射率調整部材を配置しない領域における光の反射率と、の中間値とすることを特徴とする請求項１又は２に記載の液晶装置。
【請求項６】
前記反射率調整部材を、白色のポリエチレンテレフタレートフィルム、銀蒸着シート、及びアルミニウム蒸着シートのうちのいずれかとすることを特徴とする請求項１〜５のいずれか一項に記載の液晶装置。
【請求項７】
前記第２の液晶パネルにはフレキシブル回路基板が接続されており、当該フレキシブル回路基板を第２の液晶パネルの周囲を取り囲むような形状とするとともに、当該第２の液晶パネルの周囲のフレキシブル回路基板に反射機能又は遮光機能を持たせることにより反射率調整部材とすることを特徴とする請求項１〜５のいずれか一項に記載の液晶装置。
【請求項８】
前記反射率調整部材を第１の液晶パネル側にも配置することを特徴とする請求項１〜７のいずれか一項に記載の液晶装置。
【請求項９】
前記第２の液晶パネルの全部が前記第１の液晶パネルの一部と平面的に重なることを特徴とする請求項１〜８のいずれか一項に記載の液晶装置。
【請求項１０】
請求項１〜９のいずれかに記載された液晶装置を備えた電子機器。
【発明の詳細な説明】
【技術分野】
【０００１】
本発明は、両面表示用の液晶装置、及び電子機器に関し、特に、二つの液晶パネルを、照明装置を挟んで背中合わせに配置した表裏両面表示用の液晶装置、及び電子機器に関する。
【背景技術】
【０００２】
従来、液晶装置は、それぞれ電極が形成された一対の基板を対向配置するとともに、それぞれの電極の交差領域である複数の画素に印加する電圧を選択的にオン、オフさせることによって、当該画素の液晶材料を通過する光を変調させ、画像や文字等の像を表示させている。また、近年、携帯電話機やＰＤＡ（Personal Digital Assistant）などの電子機器に使用される液晶装置として、二つの液晶パネルを、照明装置を挟んで背中合わせに配置した表裏両面表示用の液晶装置がある。
【０００３】
このような両面表示用の液晶装置において、光を有効に利用し、消費電力の高騰を伴わずに明るい表示が可能な表示装置が提案されている。例えば、図１４に示すように、二つの液晶パネル５１０、５２０と、各液晶パネル５１０、５２０の間に形成され、各液晶パネル５１０、５２０に対して光照射可能なバックライト５４０と、当該バックライト５４０と各液晶パネル５１０、５２０との間に形成された二つの反射偏光板５３１、５３２とを備えた表示装置５００が開示されている（特許文献１参照）。
かかる表示装置によれば、それぞれの反射偏光板が、所定の偏光方向を持つ光を透過させる一方、他の偏光方向を持つ光を反射させるために、照明装置から照射される光を、表示に無駄なく利用することができる。
【特許文献１】特開２００４−１９９０２７号  （特許請求の範囲、図５及び図６）
【発明の開示】
【発明が解決しようとする課題】
【０００４】
しかしながら、特許文献１に記載の表示装置に使用されている反射偏光板は一般的にコストが高く、開示された表示装置のように、照明装置の両面全体に配置することにより、表示装置自体の生産コストが高くなってしまう場合があった。
また、かかる反射偏光板は、本来、照明装置におけるそれぞれの面において、光を透過させる必要がある第１の液晶パネル及び第２の液晶パネルが存在する領域にのみ配置されていれば良いものであるものの、反射偏光板を部分的に配置すると、光の反射率が部分的に異なってしまうという問題がある。このような場合に、第１の液晶パネルと第２の液晶パネルとの表示面の大きさが異なると、他方の液晶パネルの表示面に、光の反射率が異なることによる表示ムラが視認される場合が見られた。
【０００５】
そこで、本発明の発明者らは鋭意努力し、照明装置を介在して、平面的に重なるように配置された二つの液晶パネルを備えた両面表示用の液晶装置において、反射偏光板を液晶パネルの存在領域のみに配置するとともに、反射偏光板の非存在領域に所定の反射率調整部材を備えることにより、このような問題を解決できることを見出し、本発明を完成させたものである。
すなわち、本発明は、反射偏光板を最小限の範囲で使用した場合であっても、光の反射率が異なることによる表示ムラを視認されないようにした両面表示用の液晶装置を提供することを目的とする。また、本発明の別の目的は、そのような液晶装置を備えた電子機器を提供することである。
【課題を解決するための手段】
【０００６】
本発明によれば、液晶材料を保持する第１の液晶パネルと、液晶材料を保持するとともに、少なくとも一部が第１の液晶パネルと平面的に重なるように配置された第２の液晶パネルと、第１の液晶パネル及び第２の液晶パネルの間に配置された照明装置と、を含む両面表示用の液晶装置であって、
第２の液晶パネルと照明装置との間に、照明装置から射出された光のうち所定の偏光方向を有する光のみを第２の液晶パネル側へ入射させるとともに、他の偏光方向を有する光を第１の液晶パネル側へ反射させるための反射偏光板を備え、
照明装置の第２の液晶パネル側における、反射偏光板の非存在領域であって、少なくとも反射偏光板と隣接する領域に、当該領域における光の反射率を、反射偏光板の存在領域における光の反射率に近づけるための、反射偏光板とは異なる反射率調整部材を備えることを特徴とする液晶装置が提供され、上述した問題を解決することができる。
すなわち、特定の偏光方向の光を通過させつつ、他の偏光方向の光を反射させる反射偏光板を最小限の範囲で配置することにより、生産コストの上昇を抑えることができる。また、このようにした場合であっても、反射偏光板の存在領域に隣接する所定の領域に、所定の反射率調整部材を備えることにより、第１の液晶パネルの表示面において、光の反射率が異なることによる表示ムラが視認されることを効果的に防止することができる。したがって、生産コストの上昇を抑えつつ、表示品位に優れた両面表示用の液晶装置を提供することができる。
【０００７】
また、本発明の液晶装置を構成するにあたり、第１の液晶パネルは、反射偏光板の存在領域と非存在領域とにまたがって平面的に重なるように配置されていることが好ましい。
このように構成することにより、第１の液晶パネルが、反射偏光板の存在領域及び非存在領域にまたがって対向配置されている場合であっても、第１の液晶パネルの表示面の背面側における、光の反射率が急激に変化することがなくなる。したがって、反射率の差による表示ムラが視認されることを効果的に防止することができる。
【０００８】
また、本発明の液晶装置を構成するにあたり、反射率調整部材を反射偏光板の非存在領域全体に配置することが好ましい。
このように構成することにより、反射偏光板の存在領域と非存在領域との間の光の反射率の差を小さくできるとともに、非存在領域における光の反射率を均一にできるために、第１の液晶パネルにおける表示ムラが視認されることを効果的に防ぐことができる。
【０００９】
また、本発明の液晶装置を構成するにあたり、反射率調整部材を反射偏光板の非存在領域全体に配置する場合に、当該領域における光の反射率を、反射偏光板の存在領域における光の反射率と一致させることが好ましい。
このように構成することにより、第１の液晶パネル側に反射する光の反射率を均一にできるために、第１の液晶パネルにおける表示ムラが視認されることをより効果的に防ぐことができる。
【００１０】
また、本発明の液晶装置を構成するにあたり、反射率調整部材を反射偏光板と隣接する領域にのみ配置する場合には、当該反射率調整部材を配置した領域における光の反射率を、反射偏光板の存在領域における光の反射率と、非存在領域における反射率調整部材を配置しない領域における光の反射率と、の中間値とすることが好ましい。
このように構成することにより、反射率調整部材の配置面積を小さくしつつ、光の反射率を段階的に異ならせることができるため、第１の液晶パネルにおける表示ムラが視認されることを防ぐことができるとともに、生産コストの上昇を抑えることができる。
【００１１】
また、本発明の液晶装置を構成するにあたり、反射率調整部材を、白色のポリエチレンテレフタレートフィルム、銀蒸着シート、及びアルミニウム蒸着シートのうちのいずれか一つとすることが好ましい。
このように構成することにより、光の反射率を所望の値に調整して第１の液晶パネルにおける表示ムラを少なくするとともに、液晶装置の厚さが厚くなることを防止することができる。
【００１２】
また、本発明の液晶装置を構成するにあたり、第２の液晶パネルにはフレキシブル回路基板が接続されており、当該フレキシブル回路基板を第２の液晶パネルの周囲を取り囲むような形状とするとともに、当該第２の液晶パネルの周囲のフレキシブル回路基板に反射機能又は遮光機能を持たせることにより反射率調整部材とすることが好ましい。
このように構成することにより、部品点数を増やすことなく光の反射率を調整することができるため、製造工程を増加させることがないとともに、生産コストの上昇を抑えることができる。
【００１３】
また、本発明の液晶装置を構成するにあたり、反射率調整部材を第１の液晶パネル側にも配置することが好ましい。
このように構成することにより、第１の液晶パネル及び第２の液晶パネルそれぞれにおける、光の反射率が異なることによって表示ムラが視認されることを効果的に防止することができる。
【００１４】
また、本発明の液晶装置を構成するにあたり、第２の液晶パネルの全部が第１の液晶パネルの一部と平面的に重なることが好ましい。
このように構成することにより、一方の液晶パネルの全部が他方の液晶パネルの一部と重なる構成の両面表示用の液晶装置であっても、それぞれの液晶パネルにおける、光の反射率が異なることによって表示ムラが視認されることを効果的に防止することができる。
【００１５】
また、本発明のさらに別の態様は、上述したいずれかの液晶装置を備えた電子機器である。
すなわち、光の反射率の差による影の映りこみを少なくした両面表示用の液晶装置を備えているために、表示不良の発生の少ない電子機器を提供することができる。
【発明を実施するための最良の形態】
【００１６】
以下、図面を参照して、本発明の液晶装置、及び電子機器に関する実施形態について具体的に説明する。ただし、かかる実施形態は、本発明の一態様を示すものであり、この発明を限定するものではなく、本発明の範囲内で任意に変更することが可能である。
なお、それぞれの図中、同じ符号を付してあるものは同じ部材を示しており、適宜説明を省略する一方、それぞれの図中において、一部の部材を適宜省略してある場合がある。
【００１７】
［第１実施形態］
第１実施形態は、液晶材料を保持する第１の液晶パネルと、液晶材料を保持するとともに、一部が第１の液晶パネルと平面的に重なるように配置された第２の液晶パネルと、第１の液晶パネル及び第２の液晶パネルの間に配置された照明装置と、を含む両面表示用の液晶装置である。
かかる液晶装置は、第２の液晶パネルと照明装置との間に、照明装置から射出された光のうち所定の偏光方向を有する光のみを第２の液晶パネル側へ入射させるとともに、他の偏光方向を有する光を第１の液晶パネル側へ反射させるための反射偏光板を備え、照明装置の第２の液晶パネル側における、反射偏光板の非存在領域であって、少なくとも反射偏光板と隣接する領域に、当該領域における光の反射率を、反射偏光板の存在領域における光の反射率に近づけるための、反射偏光板とは異なる反射率調整部材を備えることを特徴とする。
【００１８】
以下、第１実施形態にかかる液晶装置として、照明装置と第１の液晶パネルとの間、及び照明装置と第２の液晶パネルとの間の双方に反射偏光板を備えた構成の両面表示用の液晶装置を例に採って説明する。
なお、本実施形態は、ＴＦＴ素子（Thin Film Transistor）を備えたアクティブマトリクス型構造の液晶パネルを使用した液晶装置について説明するが、ＴＦＤ素子（Thin Film Diode）を備えたアクティブマトリクス型の液晶パネルや、スイッチング素子を備えていないパッシブマトリクス型の液晶パネル等、種々の液晶パネルを使用することができる。また、以下の説明中、液晶パネルとは、シール材で貼り合わせられた一対の基板の間に液晶材料が注入され、フレキシブル回路基板や電子部品が接続された状態を指し、当該液晶パネルに、光源等の照明装置が取り付けられた状態を液晶装置というものとする。
【００１９】
１．基本的構成
まず、図１の断面図を参照して、本実施形態に係る表裏両面表示用の液晶装置の基本的構成について説明する。
この図１に示すように、本実施形態の液晶装置１０は、第１の液晶パネル２０Ａ及び第２の液晶パネル２０Ｂが、照明装置１１を挟んで背中合わせに配置されている。また、かかる第１の液晶パネル２０Ａ及び第２の液晶パネル２０Ｂは、一部において平面的に重なるように配置されている。さらに、照明装置１１と第１の液晶パネル２０Ａ及び第２の液晶パネル２０Ｂとのそれぞれの間には、後述する第１及び第２の反射偏光板１５ａ、１５ｂを備えている。
そして、照明装置１１から出射された光の一部が、第２の液晶パネル２０Ｂに向かって進行し、照明装置１１と第２の液晶パネル２０Ｂとの間に配置された第２の反射偏光板１５ｂに対して進入する。このとき、所定の偏光方向を有する光は、そのまま第２の反射偏光板１５ｂを透過して、第２の液晶パネル２０Ｂに入射する一方で、他の偏光方向を有する光は、第２の反射偏光板１５ｂによって反射されて、第１の液晶パネル２０Ａ側に向かって進行する。
【００２０】
一方、第１の液晶パネル２０Ａと照明装置１１との間にも第１の反射偏光板１５ａを備えているために、第１の液晶パネル２０Ａに向かって進行した光についても、第２の液晶パネル２０Ｂに向かって進行した光と同様、所定の偏光方向を有する光のみが第１の反射偏光板１５ａを透過して、第１の液晶パネル２０Ａに対して入射するとともに、他の偏光方向を有する光は第１の反射偏光板１５ａにより反射されて、再び第２の液晶パネル２０Ｂに向かって進行する。
このような反射が繰り返されるうちに、偏光方向が反射偏光板における透過軸と一致したタイミングでいずれかの液晶パネルに入射するため、光を無駄なく効率的に使用することができる。
【００２１】
以上のような構造を有する液晶装置において、それぞれの液晶パネルに入射した光が、透光性の透明電極部分を通過し、着色層、液晶材料などを通過して液晶パネルの外部へ出ることにより、透過表示が行われる。
そして、本実施形態の液晶装置においては、透過表示をさせる際に、生産コストが比較的高い反射偏光板の使用面積をできる限り小さくしつつ、光源から出射された光を無駄なく有効利用して、第１の液晶パネル及び第２の液晶パネルそれぞれに、明るい画像を表示させることができる。
なお、液晶パネルが光反射膜を備えている場合には、太陽光や室内照明光などの外光が、対向基板側から液晶パネルに入射するとともに、着色層や液晶材料などを通過して光反射膜に至り、そこで反射されて再度液晶材料や着色層などを通過して、液晶パネルから外部へ出ることにより、反射表示を行うこともできる。
【００２２】
２．液晶パネル
次に、本実施形態に係る液晶装置に使用される第１の液晶パネル及び第２の液晶パネルについて説明する。ここで、図２に、本実施形態の液晶装置に使用される液晶パネル２０の断面図を示す。
かかる図２に示すように、液晶パネルは、対向基板３０と素子基板６０とが、それらの周辺部においてシール材（図示せず）によって貼り合わせられ、さらに、対向基板３０、素子基板６０及びシール材によって囲まれる間隙内に液晶材料２１を封入して形成されている。
【００２３】
また、対向基板３０は、ガラス、プラスチック等によって形成され、当該対向基板３０上には、カラーフィルタすなわち着色層３７ｒ、３７ｇ、３７ｂと、その着色層３７ｒ、３７ｇ、３７ｂの上に形成された対向電極３３と、その対向電極３３の上に形成された配向膜４５とを備えている。また、反射領域Ｒにおける、着色層３７ｒ、３７ｇ、３７ｂと対向電極３３との間には、リタデーションを最適化するための絶縁層４１を備えている。
ここで、対向電極３３は、ＩＴＯ（インジウムスズ酸化物）等によって対向基板３０の表面全域に形成された面状電極である。また、着色層３７ｒ、３７ｇ、３７ｂは、素子基板６０側の画素電極６３に対向する位置にＲ（赤）、Ｇ（緑）、Ｂ（青）又はＣ（シアン）、Ｍ（マゼンタ）、Ｙ（イエロー）等といった各色のいずれかの色フィルタエレメントを備えている。そして、着色層３７ｒ、３７ｇ、３７ｂの隣であって、画素電極６３に対向しない位置にブラックマスク又はブラックマトリクスすなわち遮光膜３９が設けられている。
【００２４】
また、対向基板３０に対向する素子基板６０は、ガラス、プラスチック等によって形成され、当該素子基板６０上には、スイッチング素子として機能するアクティブ素子としてのＴＦＴ素子６９と、透明な絶縁膜８１を挟んでＴＦＴ素子６９の上層に形成された画素電極６３とを備えている。
ここで、画素電極６３は、反射領域Ｒにおいては反射表示を行うための光反射膜７９（６３ａ）を兼ねて形成されるとともに、透過領域Ｔにおいては、ＩＴＯなどにより透明電極６３ｂとして形成される。また、画素電極６３ａとしての光反射膜７９は、例えばＡｌ（アルミニウム）、Ａｇ（銀）等といった光反射性材料によって形成される。そして、画素電極６３の上には、ポリイミド系の高分子樹脂からなる配向膜８５が形成されるとともに、この配向膜８５に対して、配向処理としてのラビング処理が施される。
【００２５】
また、対向基板３０の外側（すなわち、図２の上側）表面には、位相差板４７が形成され、さらにその上に偏光板４９が形成されている。同様に、素子基板６０の外側（すなわち、図２の下側）表面には、位相差板８７が形成され、さらにその下に偏光板８９が形成されている。さらに、素子基板６０の下方にはバックライトユニット（図示せず）が配置される。
【００２６】
また、ＴＦＴ素子６９は、素子基板６０上に形成されたゲート電極７１と、このゲート電極７１の上で素子基板６０の全域に形成されたゲート絶縁膜７２と、このゲート絶縁膜７２を挟んでゲート電極７１の上方位置に形成された半導体層７０と、その半導体層７０の一方の側にコンタクト電極７７を介して形成されたソース電極７３と、さらに半導体層７０の他方の側にコンタクト電極７７を介して形成されたドレイン電極６６とを有する。
また、ゲート電極７１はゲートバス配線（図示せず）から延びており、ソース電極７３はソースバス配線（図示せず）から延びている。また、ゲートバス配線は素子基板６０の横方向に延びていて縦方向へ等間隔で平行に複数本形成されるとともに、ソースバス配線はゲート絶縁膜７２を挟んでゲートバス配線と交差するように縦方向へ延びていて横方向へ等間隔で平行に複数本形成される。
かかるゲートバス配線は液晶駆動用ＩＣ（図示せず）に接続されて、例えば走査線として作用し、他方、ソースバス配線は他の駆動用ＩＣ（図示せず）に接続されて、例えば信号線として作用する。
また、画素電極６３は、互いに交差するゲートバス配線とソースバス配線とによって区画される方形領域のうちＴＦＴ素子６９に対応する部分を除いた領域に形成されている。
【００２７】
ここで、ゲートバス配線及びゲート電極は、例えばクロム、タンタル等によって形成することができる。また、ゲート絶縁膜は、例えば窒化シリコン（ＳｉＮX）、酸化シリコン（ＳｉＯX）等によって形成される。また、半導体層は、例えばドープトａ−Ｓｉ、多結晶シリコン、ＣｄＳｅ等によって形成することができる。さらに、コンタクト電極は、例えばａ−Ｓｉ等によって形成することができ、ソース電極及びそれと一体をなすソースバス配線並びにドレイン電極は、例えばチタン、モリブデン、アルミニウム等によって形成することができる。
【００２８】
また、有機絶縁膜８１は、ゲートバス配線、ソースバス配線及びＴＦＴ素子を覆って素子基板６０上の全域に形成されている。但し、有機絶縁膜８１のドレイン電極６６に対応する部分にはコンタクトホール８３が形成され、このコンタクトホール８３の所で画素電極６３とＴＦＴ素子６９のドレイン電極６６との導通がなされている。
また、かかる有機絶縁膜８１には、反射領域Ｒに対応する領域に、散乱形状として、山部と谷部との規則的な又は不規則的な繰り返しパターンから成る凹凸パターンを有する樹脂膜が形成されている。この結果、有機絶縁膜８１の上に積層される光反射膜７９（６３ａ）も同様にして凹凸パターンから成る光反射パターンを有することになる。但し、この凹凸パターンは、透過領域Ｔには形成されていない。
【００２９】
３．照明装置
また、第１の液晶パネルと第２の液晶パネルとの間に配置される照明装置としては、図３（ａ）に示すように、ＬＥＤ等の光源１２を端部に備えるとともに、当該光源１２から照射された光をそれぞれの液晶パネルに導入させるための導光板１３を備えた照明装置が一般的である。かかる導光板１３を含む照明装置１１において、導光板１３の側面、すなわち、第１及び第２の液晶パネルと面しない面については、光漏れを防止するための光反射膜や遮光膜等を備えていることが好ましい。
一方、別の照明装置の例として、図３（ｂ）に示すように、複数の冷陰極蛍光管１４を平面的に複数配置した照明装置を使用することもできる。
【００３０】
４．反射偏光板
また、本実施形態にかかる液晶装置は、図１に示すように、照明装置（導光板）１１と第１の液晶パネル２０Ａ及び第２の液晶パネル２０Ｂとの間に、照明装置１１から出射された光１９のうち所定の偏光方向を有する光のみを、そのまま液晶パネルへ入射させるとともに、他の偏光方向を有する光を反射させるための反射偏光板１５ａ、１５ｂを備えている。かかる反射偏光板を備えることにより、透過表示に必要な一部の光を透過させて透過表示を行うことができる一方、それ以外の光を反射させて、他方の液晶パネル側に入射させ、他方の液晶パネル側で透過表示を行う際にも利用することができる。したがって、光源から出射された光を無駄なく有効利用して、明るい画像を視認させることができる。
また、本発明の液晶装置においては、生産コストの上昇を抑えるために、かかる反射偏光板を、照明装置とそれぞれの液晶パネルとの間における、液晶パネルの存在領域にのみ対応して設けられている。
かかる反射偏光板としては、例えば、コレステリック液晶を高分子フィルムとしたもの（日東電工社製：ニポックス）を使用することができる。
【００３１】
５．反射率調整部材
また、本実施形態にかかる液晶装置は、図１に示すように、照明装置（導光板）１１と第１の液晶パネル２０Ａ及び第２の液晶パネル２０Ｂとの間における、第１の偏光板１５ａ及び第２の反射偏光板１５ｂの非存在領域であって、少なくとも反射偏光板１５ａ、１５ｂと隣接する領域に、当該領域における光の反射率を、反射偏光板における光の反射率に近づけるための、反射偏光板とは異なる反射率調整部材１７ａ、１７ｂを備えることを特徴とする。
すなわち、本発明の液晶装置は、第１の液晶パネルが、反射偏光板の存在領域と非存在領域とにまたがって、平面的に重なるように配置されているために、そのままでは、第１の液晶パネルの表示面の背面側における光の反射率が異なってしまう。そこで、このように構成することにより、比較的高価な反射偏光板の貼付面積を少なくしつつ、反射偏光板の非存在領域における、反射偏光板と隣接する領域において、一方の液晶パネル側に進行した光の、他方の液晶パネル側への光の反射率を、反射偏光板における光の反射率に近づけて、反射率が急激に変化することを防ぐことができる。したがって、照明装置を挟んで、反射率調整部材が備えられた側とは反対側の液晶パネルの表示面において、光の反射率が異なることによる表示ムラが視認されることを防止することができる。
【００３２】
ここで、図４〜図５を参照して、第２の液晶パネル２０Ｂ側に備えられた反射偏光板１５ｂ及び反射率調整部材１７ｂを例に採って、照明装置１１から出射された光が、各液晶パネルに２０Ａ、２０Ｂに入射する状態について説明する。かかる図４〜図５に示すように、上述のとおり、照明装置１１と第２の液晶パネル２０Ｂとの間において、第２の反射偏光板１５ｂは、生産コストを低く抑えるべく、第２の液晶パネル２０Ｂが存在する領域５ａにのみ配置されている。そのため、第２の反射偏光板１５ｂの存在領域５ａとそれ以外の非存在領域５ｂとの間で光の反射率が異なってしまう。そうすると、反射光を含む第１の液晶パネル２０Ａに入射する光が、部分的に不均一になるとともに、その境界部分の反射率が急激に変化してしまい、第１の液晶パネル２０Ａの表示面で表示ムラが視認されてしまう。そこで、第２の反射偏光板１５ｂの非存在領域５ｂにおける第２の反射偏光板１５ｂと隣接する領域５ｃに、所定の反射率調整部材１７ｂを備えることにより、光の反射率が急激に変化することを防ぐことができる。したがって、第１の液晶パネル２０Ａの表示面において、光の反射率が異なることによる表示ムラが視認されることを効果的に防ぐことができる。
【００３３】
例えば、図４（ａ）に示すように、照明装置１１の第２の液晶パネル２０Ｂ側における第２の反射偏光板１５ｂの非存在領域５ｂに、アルミニウム等からなる光反射膜７９を備える場合には、第２の反射偏光板１５ｂの存在領域５ａにおける光の反射率よりも光反射膜７９の反射率が大きくなっている。この場合には、当該非存在領域５ｂであって、少なくとも第２の反射偏光板１５ｂと隣接する領域５ｃにおける光の反射率を、光反射膜７９の反射率よりも小さくして、第２の反射偏光板１５ｂの反射率に近づけるような反射率調整部材１７ｂを備える構成とする。
このような反射率調整部材としては、例えば、図４（ｂ）に示すように、光反射膜７９の反射率よりも低い部材からなり、部分的に開口領域１７Ｘを備えた反射率調整部材１７ｂを使用することができる。より具体的には、一般的に液晶パネルに備えられる遮光膜を形成する材料である、カーボン等の黒色材料を用いて、照明装置（導光板）における光反射膜よりも照明装置に近い側に対して、開口領域を含むようにパターニングして膜を形成した反射率調整部材とすることができる。このような反射率調整部材を備えることにより、第２の反射偏光板と隣接する領域において、光反射膜の反射率を低下させることができる。したがって、第２の反射偏光板の存在領域における光の反射率と反射率調整部材を備えた領域における光の反射率との差、及び反射率調整部材を備えた領域における光の反射率と光反射膜のみを備えた領域における光の反射率と差を、それぞれ第２の反射偏光板の存在領域における光の反射率と光反射膜のみを備えた領域における光の反射率と差よりも小さくすることができる。よって、光の反射率が大きく変化する境界部分がなくなることから、第１の液晶パネルの表示面において、表示ムラが視認されにくくなる。
【００３４】
また、別の例として、図５（ａ）に示すように、照明装置１１の第２の液晶パネル２０Ｂ側における第２の反射偏光板１５ｂの非存在領域５ａに、遮光膜等の光吸収部材８８を備える場合には、第２の反射偏光板１５ｂの存在領域５ａにおける光の反射率よりも光吸収部材８８の配置領域５ｂにおける光の反射率が小さくなっている。この場合には、当該非存在領域５ｂであって、少なくとも第２の反射偏光板１５ｂと隣接する領域５ｃにおける光の反射率を、光吸収部材８８の配置領域５ｂにおける光の反射率よりも大きくして、第２の反射偏光板１５ｂの存在領域５ａにおける光の反射率に近づけるような反射率調整部材１７ｂを備える構成とする。
このような反射率調整部材としては、例えば、図５（ｂ）に示すように、光吸収部材８８の反射率よりも高い部材からなり、部分的に開口領域１７Ｘを備えた反射率調整部材１７ｂを使用することができる。より具体的には、一般的に光を反射させるために使用されるアルミニウムや銀等を用いて、上述した反射率調整部材と同様の位置に膜を形成することにより、第２の反射偏光板と隣接する領域における光の反射率を大きくすることができる。したがって、上記と同様、光の反射率が大きく変化する境界部分をなくすることができ、第１の液晶パネルの表示面において、表示ムラが視認されにくくなる。また、かかる材料からなる反射率調整部材であれば、薄膜で形成することができ、液晶装置が大型化することもないために、好適な態様である。
【００３５】
この図４及び図５に示すように、第２の反射偏光板１５ｂの存在領域５ａに隣接した領域５ｃに限って、反射率調整部材１７ｂを配置する場合には、反射率調整部材１７ｂを配置した領域５ｃにおける光の反射率を、第２の反射偏光板１５ｂの存在領域５ａにおける光の反射率と、非存在領域５ｂにおける反射率調整部材１７ｂを配置しない領域における光の反射率と、の中間値とすることが好ましい。
この理由は、反射偏光板の存在領域における光の反射率と非存在領域における光の反射率とを同じ割合で段階的に変化させることができるために、反射率の差を緩和して、いずれの境界部分においても、光の反射率が急激に変化することがなくなるためである。したがって、第１の液晶パネルの表示面における表示ムラをより視認されにくくすることができる。
より具体的には、例えば、反射偏光板の反射率が５０％であって、反射率が８０％の光反射膜を備える場合には、反射率調整部材を配置した領域における光の反射率を６５％程度にすることが好ましい。
【００３６】
なお、上述した反射率調整部材は、もとより存在する部材の反射率を基礎として、その部材の一部を覆うことによって、反射率調整部材の配置領域における光の反射率を調整する構成となっているが、このような構成に限られるものではない。すなわち、反射率調整部材の反射率自体が、反射偏光板の反射率とそれ以外の領域の反射率との中間値程度の値を示す部材であれば、図６に示すような、所定の開口領域を有していない反射率調整部材１７ｂとすることにより、上記のような構成と同様に、反射率の急激な変化を調整して、第１の液晶パネル２０Ａの表示面における表示ムラを視認されにくくすることができる。
このような反射率調整部材としては、例えば、白色のポリエチレンテレフタレートフィルム等を使用することができる。すなわち、所望の反射率を示すように白色度合いを調整したポリエチレンテレフタレートフィルムを、第２の反射偏光板と隣接する領域に配置することによって、第２の反射偏光板の存在領域と非存在領域との間に、反射率の差を緩和することができる領域を形成することができる。
【００３７】
また、反射率調整部材の配置位置に関し、少なくとも第２の反射偏光板と隣接する領域に配置する必要があるが、図７に示すように、第２の反射偏光板１５ｂの非存在領域５ｂ全体に配置することが好ましい。
この理由は、第２の反射偏光板の存在領域と非存在領域とにおける光の反射率の差を小さくしつつ、非存在領域における光の反射率を均一にできるために、反射率が異なる境界部分を少なくして、第１の液晶パネルの表示面において表示ムラが視認されることを、より効果的に防止することができるためである。
【００３８】
また、反射率調整部材１７ｂをこのように配置する場合には、反射率調整部材１７ｂの配置領域５ｂにおける光の反射率を、第２の反射偏光板１５ｂの存在領域５ａにおける光の反射率と一致させることが好ましい。
この理由は、第２の反射偏光板の存在領域及び非存在領域における光の反射率を均一にすることができ、第１の液晶パネルの表示面において、光の反射率が異なることによる表示ムラが視認されることをなくすことができるためである。
このような反射率調整部材は、上述したような材料を用いつつ、反射偏光板の反射率と一致するように調整して設けることにより得ることができる。
【００３９】
なお、言うまでもなく、照明装置と第１の液晶パネルとの間に備える第１の反射偏光板及び第１の反射率調整部材についても、これまでに説明したような、第２の反射偏光板及び第２の反射率調整部材と同様の構成とすることができる。また、反射率調整部材は、上述のように、照明装置（導光板）に形成する態様に限られず、独立した板状の反射率調整板として、所定位置に配置することもできる。
そして、本実施形態の両面表示用の液晶装置であれば、照明装置の両側に第１及び第２の反射偏光板と、第１及び第２の反射率調整部材をそれぞれ備えているために、照明装置から照射される光を無駄なく有効利用できるとともに、第１及び第２の液晶パネルそれぞれの表示面において、反射率が急激に変化することによる表示ムラが視認されることを効果的に防止した液晶装置とすることができる。
【００４０】
［第２実施形態］
本発明の第２実施形態は、第１実施形態の液晶装置における反射率調整部材として、第２の液晶パネルに接続されたフレキシブル回路基板を、第２の液晶パネルの周囲を取り囲むような形状とするとともに、当該第２の液晶パネルの周囲のフレキシブル回路基板に反射機能又は遮光機能を持たせて反射率調整部材とした両面表示用の液晶装置である。
以下、第１実施形態と異なる反射率調整部材を中心に説明し、第１実施形態と共通する点については、適宜説明を省略する。
【００４１】
本実施形態の両面表示用の液晶装置１０´は、図８（ａ）〜（ｂ）に示すように、反射率調整部材１７ｂとして、第２の液晶パネル２０Ｂに接続されたフレキシブル回路基板９３ｂを、第２の反射偏光板１５ｂが備えられる第２の液晶パネル２０Ａの周囲を取り囲むような形状としつつ、当該第２の液晶パネル２０Ｂの周囲のフレキシブル回路基板９３ｂに反射機能又は遮光機能を持たせて構成した反射率調整部材１７ｂを備えている。このような反射率調整部材であれば、所定割合の光を反射させつつ、それ以外の光が外部に漏れることを防いで、光を効率的に有効利用することができる。また、部品点数を増加させることがないため、生産効率やコスト性を低下させることなく反射率を調整して、第１の液晶パネルの表示面における表示ムラを視認されにくくすることができる。
より具体的には、少なくとも第２の反射偏光板と隣接する領域にも存在するような形状のフレキシブル回路基板を用いつつ、当該第２の反射偏光板と隣接する領域のフレキシブル回路基板における照明装置側の面に、銀やアルミニウム等をシルクスクリーン印刷等することにより、所望の反射率、遮光率を発揮できる反射率調整部材を形成することができる。
なお、図８（ａ）は、本実施形態の液晶装置１０´を側方から見た概略図であり、図８（ｂ）は、図８（ａ）の液晶装置１０´を矢印Ｘの方向から見た平面図である。
【００４２】
かかる反射率調整部材としてのフレキシブル回路基板は、第１実施形態でも説明したように、少なくとも第２の反射偏光板と隣接する領域、すなわち、第２の液晶パネルの周囲に存在させる必要がある。このように配置する場合には、第２の反射偏光板の存在領域と非存在領域との中間値となる光の反射率を示すように調整した反射率調整部材とすることが好ましい。
また、より表示ムラを視認されにくくするために、図９（ａ）〜（ｂ）に示すように、第２の反射偏光板１５ｂの非存在領域５ｂ全体に存在させるとともに、反射率調整部材１７の配置領域５ｂにおける光の反射率を第２の反射偏光板１５ｂの存在領域５ａにおける光の反射率と一致させることが好ましい。
【００４３】
［第３実施形態］
本発明の第３実施形態は、第１実施形態又は第２実施形態の液晶装置において、第２の液晶パネルの全部が第１の液晶パネルの一部と平面的に重なるように配置された両面表示用の液晶装置である。
以下、第１実施形態及び第２実施形態で説明した点と異なる第１及び第２の液晶パネルの配置位置を中心に説明し、すでに説明した点については適宜説明を省略する。
【００４４】
本実施形態の液晶装置１０´´は、図１０に示すように、第１の液晶パネル２０Ａ及び第２の液晶パネル２０Ｂが、照明装置１１を挟んで背中合わせに配置されており、第２の液晶パネル２０Ｂの全部が第１の液晶パネル２０Ａの一部と平面的に重なるように配置されている。さらに、照明装置１１と第１の液晶パネル２０Ａ及び第２の液晶パネル２０Ｂとの間には、それぞれ第１及び第２の反射偏光板１５ａ、１５ｂを備えている。
【００４５】
また、照明装置（導光板）１１と第２の液晶パネル２０Ｂとの間における、第２の反射偏光板１５ｂの非存在領域であって、少なくとも反射偏光板１５ｂと隣接する領域に、当該領域における光の反射率を、反射偏光板における光の反射率に近づけるための、反射偏光板とは異なる反射率調整部材１７を備えることを特徴とする。
この反射率調整部材１７は、例えば、図１０に示すように、第１実施形態で説明したような構成の反射率調整部材（図４（ｂ）又は図５（ｂ）に示す構成）１７とすることができる。また、別の例として、図１１に示すように、第２実施形態で説明したような、フレキシブル回路基板９３ｂを利用した反射率調整部材（図８（ｂ）に示す構成）１７とすることもできる。
【００４６】
また、反射率調整部材の配置位置についても、図１０に示すように、第２の反射偏光板１５ｂの存在領域５ａに隣接した領域５ｃに限って、反射率調整部材１７ｂを配置することもでき、図１２に示すように、第２の反射偏光板１５ｂの非存在領域５ｂ全体に配置することもできる。
その他、反射率調整部材の反射率と反射偏光板の反射率との関係等についても、第１実施形態や第２実施形態で説明した態様を適宜選択して構成することができる。
【００４７】
このように構成された本実施形態の液晶装置であれば、一方の液晶パネルの全部が、他方の液晶パネルの一部と平面的に重なり合う場合であっても、比較的高価な反射偏光板の貼付面積を少なくしつつ、反射偏光板の非存在領域における、反射偏光板と隣接する領域において、一方の液晶パネル側に進行した光の、他方の液晶パネル側への光の反射率を、反射偏光板における光の反射率に近づけて、反射率が急激に変化することを防ぐことができる。したがって、照明装置を挟んで、反射率調整部材が備えられた側とは反対側の液晶パネルの表示面において、光の反射率が異なることによる表示ムラが視認されることを防止することができる。
【００４８】
［第４実施形態］
本発明の第４実施形態は、第１実施形態〜第３実施形態のいずれかの液晶装置を備えた電子機器である。
図１３は、本実施形態の電子機器の全体構成を示す概略構成図である。この電子機器は、液晶装置に備えられた液晶パネル２０と、これを制御するための制御手段２００とを有している。また、図１３中では、液晶パネル２０を、パネル構造体２０Ａと、半導体素子（ＩＣ）等で構成される駆動回路２０Ｂと、に概念的に分けて描いてある。また、制御手段２００は、表示情報出力源２０１と、表示処理回路２０２と、電源回路２０３と、タイミングジェネレータ２０４とを備えている。
また、表示情報出力源２０１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２０４によって生成された各種のクロック信号に基づいて、所定フォーマットの画像信号等の形で表示情報を表示処理回路２０２に供給するように構成されている。
【００４９】
また、表示処理回路２０２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２０Ｂへ供給する。さらに、駆動回路２０Ｂは、第１の電極駆動回路、第２の電極駆動回路及び検査回路を含めることができる。また、電源回路２０３は、上述の各構成要素にそれぞれ所定の電圧を供給する機能を有している。
そして、本実施形態の電子機器であれば、比較的高価な反射偏光板の貼付面積をできるだけ小さくしつつ、少なくとも反射偏光板と隣接する領域に反射率調整部材を配置して、反射率の急激な変化を防止してあるために、表示ムラが視認されにくい電子機器とすることができる。
【産業上の利用可能性】
【００５０】
本発明によれば、第１及び第２の液晶パネルを、照明装置を間に介在させて、平面的に重なるように背中合わせに配置された両面表示用の液晶装置において、所定の反射率調整部材を備えることにより、光を効率的に有効利用しつつ、反射率の境界部分での差を小さくして、表示ムラの視認を少なくした液晶装置を提供することができる。したがって、ＴＦＤ素子を備えた液晶装置その他種々の液晶装置や電子機器等、例えば、携帯電話機やパーソナルコンピュータ等をはじめとして、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた電子機器などに幅広く適用することができる。
【図面の簡単な説明】
【００５１】
【図１】第１実施形態の両面表示用の液晶装置を示す概略図である。
【図２】液晶装置に使用される液晶パネルの概略断面図である。
【図３】（ａ）〜（ｂ）は、照明装置の例を示す図である。
【図４】（ａ）〜（ｂ）は、反射偏光板の非存在領域に光反射膜を備える場合の反射率調整部材の構成例を示す図である。
【図５】（ａ）〜（ｂ）は、反射偏光板の非存在領域に光吸収膜を備える場合の反射率調整部材の構成例を示す図である。
【図６】反射率調整部材の別の構成を示す図である。
【図７】反射偏光板の非存在領域の全面に反射率調整部材を配置した例を示す図である。
【図８】（ａ）〜（ｂ）は、第２実施形態の両面表示用の液晶装置の構成を説明するために供する図である。
【図９】（ａ）〜（ｂ）は、フレキシブル回路基板を用いた反射率調整部材を反射偏光板の非存在領域全面に配置した例を示す図である。
【図１０】（ａ）〜（ｂ）は、第３実施形態の両面表示用の液晶装置の構成を説明するために供する図である。
【図１１】（ａ）〜（ｂ）は、フレキシブル回路基板を用いた反射率調整部材を備えた液晶装置の構成例を示す図である。
【図１２】反射偏光板の非存在領域の全面に反射率調整部材を配置した例を示す図である。
【図１３】第４実施形態の電子機器の概略構成を示すブロック図である。
【図１４】従来の液晶装置の構成を説明するために供する図である。
【符号の説明】
【００５２】
５ａ：反射偏光板存在領域、５ｂ：反射偏光板非存在領域、５ｃ：隣接領域、１０：液晶装置、１１：照明装置、１２：光源：１３：導光板、１４：蛍光管、１５・１５ａ・１５ｂ：反射偏光板、１７・１７ａ・１７ｂ：反射率調整部材、１７Ｘ：開口領域、２０Ａ・２０Ｂ：液晶パネル、７９：光反射膜、８８：光吸収部材、９３：フレキシブル回路基板
【図１】
2007025630.tif 000003
【図２】
2007025630.tif 000004
【図３】
2007025630.tif 000005
【図４】
2007025630.tif 000006
【図５】
2007025630.tif 000007
【図６】
2007025630.tif 000008
【図７】
2007025630.tif 000009
【図８】
2007025630.tif 000010
【図９】
2007025630.tif 000011
【図１０】
2007025630.tif 000012
【図１１】
2007025630.tif 000013
【図１２】
2007025630.tif 000014
【図１３】
2007025630.tif 000015
【図１４】
2007025630.tif 000016